(57)【要約】【課題】軽量で強度の向上も図れるというフラッシュ芯材の長所をも生かしつつ、芯材に化粧板を貼付ける化粧パネルの製造時において、簡便に化粧パネルの大きさ寸法の調整をすることができる新しい化粧パネルの製造方法を提供する。【解決手段】伸縮材４を介して連設された基材２の外縁に縁材３が固定された複合材において、伸縮材４、基材２並びに縁材３での段差３Aをもって形成した化粧板嵌合凹部７に所定寸法の化粧板５を嵌め込み、縁材３の両端から押圧して接着固定して化粧パネル本体を形成する。【選択図】図１
2008265230.tif 000002
【特許請求の範囲】
【請求項１】
伸縮材を介して連設された基材の外縁に縁材が固定された複合材において、伸縮材、基材並びに縁材での段差をもって表面部または裏面部の少なくとも一方に形成した化粧板嵌合凹部に所定寸法の化粧板を嵌め込み、縁材の両端から押圧して接着固定することを特徴とする化粧パネルの製造方法。
【請求項２】
請求項１に記載の化粧パネルの製造方法において、伸縮材が圧縮状態で複合材を切削加工して、化粧板嵌合凹部を形成することを特徴とする化粧パネルの製造方法。
【請求項３】
請求項１に記載の化粧パネルの製造方法において、伸縮材が伸張状態で複合材を切削加工して、化粧板嵌合凹部を形成することを特徴とする化粧パネルの製造方法。
【請求項４】
請求項１に記載の化粧パネルの製造方法において、基材に対し基材厚よりも厚さの大きい縁材を固定して化粧板嵌合凹部を形成することを特徴とする化粧パネルの製造方法。
【請求項５】
化粧板嵌合凹部の深さは化粧板の厚みと同等として、接着固定後に化粧板と縁材とが面一となるようにすることを特徴とする請求項１から４のいずれか一項に記載の化粧パネルの製造方法。
【発明の詳細な説明】
【技術分野】
【０００１】
本発明は、化粧パネルの製造方法に関する。
【背景技術】
【０００２】
従来より、建物の内装材や家具等に用いられる化粧パネルとしては、パーチクルボードやMDF（Medium Density Fiberboad）などの木質基材を芯材としてこれに化粧板や表面シートを貼った大板からパネルを切出し、その周りに縁材を接着して製造したものが知られている。しかし、この場合においては、重量が大きく、取扱いの負担が大きいという欠点があり、しかも化粧パネル自体の厚みにばらつきが大きく、縁材と化粧パネルの間に段差が生じることがあった。そして、この段差によって、パネルに貼着した表面シートなどが傷つくと浸漬性などの品質が確保できないため、最終的には手仕上げなどで縁材とパネルの段差をとるなどの作業が必要であった。このような木質基材を芯材とするものとは別に、ペーパーハニカムを基材として使用して軽量化とともに強度の向上を図った木製扉（例えば特許文献１）や、化粧パネルの内部にペーパーコアを有するものとして、例えば、フラッシュ芯材の空間部に枠の厚さと同一の寸法に切断した段ボールをコアとして充填することにより、軽量化、強度の向上を図った化粧パネル（例えば特許文献２）も知られている。
【０００３】
しかしながら、ペーパーハニカムやペーパーコアを用いる場合には、化粧パネルの軽量化や、強度の向上が図られる一方で、その製造の過程においては、ペーパーハニカムやペーパーコアの伸縮性により化粧板の平面大きさを所定の寸法に精度よく決めることは必ずしも容易ではなく、製造効率が悪いという問題があった。これらのフラッシュ芯材の周囲に枠材を配置し、化粧板を貼り付ける場合には、化粧板のたわみやたるみが生じる恐れがあり、他方では、化粧板の長さが足りなくなる恐れがある。
【特許文献１】特開昭６１−２８６４８８号公報
【特許文献２】実開平６−１７９２７号公報
【発明の開示】
【発明が解決しようとする課題】
【０００４】
本発明は、以上の通りの事情に鑑みてなされたものであり、軽量で強度の向上も図れるというフラッシュ芯材の長所をも生かしつつ、芯材に化粧板を貼付ける化粧パネルの製造において、簡便に化粧パネルの大きさ寸法の調整を可能とすることができる新しい化粧パネルの製造方法を提供することを課題としている。
【課題を解決するための手段】
【０００５】
本発明の化粧パネルの製造方法は、上記の課題を解決するために、第１に、伸縮材を介して連設された基材の外縁に縁材が固定された複合材において、伸縮材、基材並びに縁材での段差をもって表面部または裏面部の少なくとも一方に形成した化粧板嵌合凹部に所定寸法の化粧板を嵌め込み、縁材の両端から押圧して接着固定することを特徴としている。
【０００６】
また、第２には、伸縮材が圧縮状態で複合材を切削加工して、化粧板嵌合凹部を形成することを特徴とし、第３には、伸縮材が伸張状態で複合材を切削加工して、化粧板嵌合凹部を形成することを特徴としている。
【０００７】
そして、第４には、上記第１の発明の方法において、基材に対し基材厚よりも厚さの大きい縁材を固定して化粧板嵌合凹部を形成することを特徴としている。
【０００８】
さらに、第５には、上記いずれかの方法において、化粧板嵌合凹部の深さは化粧板の厚みと同等として、接着固定後に化粧板と縁材とが面一となるようにすることを特徴としている。
【発明の効果】
【０００９】
上記第１の発明によれば、軽量で、強度の高い化粧パネルを製造でき、さらに基材に化粧板を貼付ける化粧パネルの製造において、簡便に化粧パネルの大きさ寸法の調整が可能となる。
【００１０】
第２、第３の発明によれば、第１の発明の効果に加え、複合材を切削加工することにより、容易に化粧板嵌合凹部を形成することが可能となる。
【００１１】
また、第４の発明によれば、第１の発明の効果に加え、複合材を切削加工することなく化粧板嵌合凹部を形成することが可能となり、さらに、製造効率の向上を図ることができる。
【００１２】
そして、上記第５の発明によれば、化粧板と縁材とを面一に接着固定することが可能となり、化粧板接着後に、縁材と化粧板の段差をとるなどの手作業を省略することができ、さらに製造効率の向上を図ることができる。
【発明を実施するための最良の形態】
【００１３】
本発明は、前記のとおりの特徴を有するものであるが、以下に、発明の実施の形態について説明する。
【００１４】
図１は、本発明の方法によって製造される化粧パネル本体の一実施形態を例示した斜視概要図である。また、図２から図６は、本発明の化粧パネル本体の製造方法の実施形態を示した斜視概要図である。
【００１５】
例えば、図１に例示した化粧パネル本体１は、基材２と、縁材３と、基材２を連設する伸縮材４、そして化粧板５から構成され、基材２、伸縮材４並びに縁材３での段差３Aをもって表面部および裏面部に形成した化粧板嵌合凹部７に化粧板５が嵌めこまれて構成されている。この図１は、表裏の両面に化粧板５を配設した例を示しているが、この化粧板５は表面部だけであってもよく、裏面部は種々の材料からなる裏材であってもよい。
【００１６】
図１に例示した化粧板パネル本体１は、例えば、図２に示したように、伸縮材４を介して連設された基材２の外縁に縁材３が固定された複合材６から作製することができる。複合材６そのものは、伸縮材４を介して基材２を連設した後に、基材２の外縁に縁材３を固定して作製してもよいし、基材２の外縁に縁材３を固定した後に伸縮材４を介して連設することで作製することもできる。
【００１７】
さらに、この複合材６は、複数の基材２を複数の伸縮材４を介して連設し、その両端の基材２の外縁に縁材３を固定する構成としてもよい。
【００１８】
ここで、基材２の材料としては、MDFや破材を集成したフリッチなどの木質材等を用いることができる。このとき、丁番位置などは強度が確保できる材料を、その他の部材には集成材などを適宜用いることが可能である。
また、基材２に固定する縁材３の材料としては、例えば、ＡＢＳプレートなどを用いることができ、伸縮材４は、例えば、ダンボールコアやハニカムコアなどが好ましく用いられる。
【００１９】
作製された複合材６は、化粧パネル本体１として用いるために適宜、所定の厚さや大きさに切断することができる。例えば、図３に例示したように、（a）MDFや集成材フリッチ等からなる所定寸法の、対向する基材２を伸縮材４をもって接合連設し、（b）基材２の外縁に縁材３を接着して複合材６を形成し、（c）この複合材６を所定の全体厚み寸法となるように例えば回転刃物８により水平方向にカットする。
【００２０】
例えば、必要に応じて以上のように厚み調整された複合材６は、次に、図４に示すように、その所定の位置に、ルーター等の切削によって縁材３に段差３Aが形成されるように加工を施し、化粧板嵌合凹部７を形成する。このとき、この化粧板嵌合凹部７は、前記化粧板５を接着固定後に、化粧板５と縁材３とが面一になるように化粧板５の厚みと同等の段差をもって形成するのが好ましい。また、前記化粧板嵌合凹部７の加工に際しては、伸縮材４を圧縮状態または伸張状態で複合材６を切削加工することで、容易に化粧板嵌合凹部７を形成することができる。
【００２１】
化粧板嵌合凹部７を形成するための別の実施形態としては、例えば図５に示したように、伸縮材４を介して連結した基材２を、所定の厚みとした後に、その両端外縁に基材２の厚みよりも厚さの大きな縁材３を固定することで、例えば化粧板５の厚みと同等の段差３Aを形成し、この段差３Aの深さを化粧板嵌合凹部７とすることもできる。この方法では、図４の例のように、基材２及び縁材３を切削加工する工程を経ることなく化粧板嵌合凹部７を形成することが可能となる。
【００２２】
例えば以上のようにして形成した化粧板嵌合凹部７には、例えば、あらかじめラッピングなどの工法を用いて化粧を施し、所定の長さ（L）や幅（W）の寸法にカットした化粧板５を図６に例示したように嵌め込む。このとき、化粧板５の幅（W）は、基材２及び縁材３の幅と等しく形成されていることが好ましく、これにより、化粧板５の側面と基材２及び縁材３の側面を面一に形成することができる。そして、図６に示すように、嵌めこんだ化粧板５を縁材３の両端から挟みこむとともに、図中矢印のように押圧して接着固定する。押圧することで伸縮材４が圧縮され、化粧板５に縁材３が接着固定する位置で、位置決めされて、簡便に化粧パネル本体１の大きさ寸法の調整が可能とされる。なお、この場合、当然に上下からも押圧されて接着固定される。また、化粧板嵌合凹部７を化粧板５の厚みと同等深さの段差３Aをもって形成することで、化粧板５を縁材３と面一に接着固定することが容易となる。したがって、化粧パネル本体１の厚みにおいても寸法精度よく製造することが可能であり、従来、必要とされた縁材と化粧板の段差をとるなどの手作業を省くことができる。例えば、以上のようにして、図１に例示した化粧パネル本体１を製造することができる。そして、必要に応じてさらに仕上げを施して化粧パネルとすることができる。例えば、図７に例示したように、化粧パネル本体１の側面に板材９を貼着し、化粧パネルとすることもできる。
なお、本発明は、以上の実施形態に限定されるものではなく、細部については様々な態様が可能であることは言うまでもない。
【図面の簡単な説明】
【００２３】
【図１】本発明の方法によって製造される化粧パネル本体を例示する斜視概要図である。
【図２】本発明における複合材の構成を例示した斜視概要図である。
【図３】（a）（b）（c）は本発明における複合材の形成工程を例示した斜視工程概要図である。
【図４】本発明において化粧板嵌合凹部を切削加工した複合材を示す斜視概要図である。
【図５】本発明において化粧板嵌合凹部を形成した複合材の異なった実施形態を例示した斜視工程概要図である。
【図６】本発明において化粧板嵌合凹部に化粧板を配置した後に、縁材の両端から押圧する状態を示す斜視概要図である。
【図７】本発明の化粧パネルの製造方法によって製造された化粧パネルを示した斜視概要図である。
【符号の説明】
【００２４】
１  化粧パネル本体
２  基材
３  縁材
３A  段差
４  伸縮材
５  化粧板
６  複合材
７  化粧板嵌合凹部
８  回転刃物
９  板材
【図１】
2008265230.tif 000003
【図２】
2008265230.tif 000004
【図３】
2008265230.tif 000005
【図４】
2008265230.tif 000006
【図５】
2008265230.tif 000007
【図６】
2008265230.tif 000008
【図７】
2008265230.tif 000009